(57)【要約】【課題】簡素な構造で、かつ構成部材の冷却効率を向上できるプロジェクターを提供する。【解決手段】プロジェクターは、冷却ファン２５と、冷却ファン２５から吐出される冷却空気を導くダクト５２と、開閉部材５２２とを備えている。開閉部材５２２は、冷却空気が調光装置２３ｄに送出される第２の送出口５２１２、および偏光変換素子２３ｆに送出される第３の送出口５２１３を開閉する。【選択図】図３
2013137349.tif 000002
【特許請求の範囲】
【請求項１】
光束を射出する光源と、前記光源から射出された光束の光量を調整する調光装置と、前記調光装置の光束射出側に配設されて入射する光束を光学的に変換する光学素子と、冷却空気を吐出し、前記光源、前記調光装置および／または前記光学素子を冷却する冷却ファンと、を備えたプロジェクターであって、
前記調光装置は、前記光源から入射する光束を遮光する遮光部材を備え、
前記遮光部材は、開閉によって、前記光量を調整するように構成され、
前記遮光部材の遮光量に応じて、前記冷却ファンから前記調光装置および前記光学素子への前記冷却空気の送出する量を調整できることを特徴とするプロジェクター。
【請求項２】
前記遮光部材による遮光量がもっとも大きいときには、前記調光装置と前記光学素子のうち前記調光装置のみを冷却し、前記遮光部材による遮光量がもっとも小さいときには、前記調光装置と前記光学素子のうち前記光学素子のみを冷却することを特徴とする請求項１に記載のプロジェクター。
【請求項３】
前記遮光部材が閉じる方向に移動したときは、前記調光装置への風量が増加し、前記光学素子への風量が減少し、前記遮光部材が開く方向に移動したときは、前記調光装置への風量が減少し、前記光学素子への風量が増加することを特徴とする請求項１に記載のプロジェクター。
【請求項４】
前記冷却空気を、前記光源に導く第１流路、および前記調光装置、前記光学素子に導く第２流路を有するダクトと、
前記調光装置および前記光学素子を収納し、前記第２流路に導かれた前記冷却空気が流入する開口部を有する光学部品用筐体と、を備え、
前記第１流路は、前記冷却空気が前記光源に送出される第１の送出口を有し、
前記第２流路は、前記開口部に連通し、前記冷却空気が前記調光装置に送出される第２の送出口と前記冷却空気が前記光学素子に送出される第３の送出口とを有し、
前記第２および前記第３の送出口を開閉する開閉部材を備えることを特徴とする請求項１から請求項３のいずれか一項に記載のプロジェクター。
【請求項５】
前記調光装置は、
前記遮光部材の位置を検出する位置検出部を備え、
前記位置検出部の検出結果に応じて、前記開閉部材を移動させる駆動部をさらに備えることを特徴とする請求項４に記載のプロジェクター。
【請求項６】
前記調光装置または前記光学素子の温度を検出する温度検出部と、
前記温度検出部の検出結果に応じて前記開閉部材を移動させる駆動部と、
を備えることを特徴とする請求項４に記載のプロジェクター。
【請求項７】
前記光学部品用筐体は、内部の空気が外部に排出される排気口を備えることを特徴とする請求項１から請求項６のいずれか一項に記載のプロジェクター。
【請求項８】
光源から射出された光束を遮光する遮光部材と、前記遮光部材の光束射出側に配設されて入射する光束を光学的に変換する光学素子と、冷却空気を吐出する冷却ファンと、前記冷却空気を導くダクトと、を備えたプロジェクターの制御方法であって、
前記遮光部材の位置に基づいて前記遮光部材が所定の状態か否かを判定する位置判定ステップと、
前記位置判定ステップで判定した結果に基づいて、前記冷却空気が前記遮光部材に送出される前記ダクトの第２の送出口、および前記冷却空気が前記光学素子に送出される前記ダクトの第３の送出口を開閉する開閉ステップと、
を備えることを特徴とするプロジェクターの制御方法。
【請求項９】
光源から射出された光束を遮光する遮光部材と、前記遮光部材の光束射出側に配設されて入射する光束を光学的に変換する光学素子と、冷却空気を吐出する冷却ファンと、前記冷却空気を導くダクトと、を備えたプロジェクターの制御方法であって、
前記遮光部材または前記光学素子の温度を検出する温度検出ステップと、
前記温度検出ステップで検出された検出温度があらかじめ設定された設定温度に対して高いか否かを判定する温度判定ステップと、
前記温度判定ステップで判定した結果に基づいて、前記冷却空気が前記遮光部材に送出される前記ダクトの第２の送出口、および前記冷却空気が前記光学素子に送出される前記ダクトの第３の送出口を開閉する開閉ステップと、
を備えることを特徴とするプロジェクターの制御方法。
【請求項１０】
光源から射出された光束を遮光する遮光部材と、前記遮光部材の光束射出側に配設されて入射する光束を光学的に変換する光学素子と、冷却空気を吐出する冷却ファンと、前記冷却空気を導くダクトと、を備えたプロジェクターの制御プログラムであって、
前記遮光部材の位置に基づいて前記遮光部材が所定の状態か否かを判定する位置判定ステップと、
前記位置判定ステップで判定した結果に基づいて、前記冷却空気が前記遮光部材に送出される前記ダクトの第２の送出口、および前記冷却空気が前記光学素子に送出される前記ダクトの第３の送出口を開閉する開閉ステップと、
を前記プロジェクターの制御部に実行させることを特徴とするプロジェクターの制御プログラム。
【請求項１１】
光源から射出された光束を遮光する遮光部材と、前記遮光部材の光束射出側に配設されて入射する光束を光学的に変換する光学素子と、冷却空気を吐出する冷却ファンと、前記冷却空気を導くダクトと、を備えたプロジェクターの制御プログラムであって、
前記遮光部材または前記光学素子の温度を検出する温度検出ステップと、
前記温度検出ステップで検出された検出温度があらかじめ設定された設定温度に対して高いか否かを判定する温度判定ステップと、
前記温度判定ステップで判定した結果に基づいて、前記冷却空気が前記遮光部材に送出される前記ダクトの第２の送出口、および前記冷却空気が前記光学素子に送出される前記ダクトの第３の送出口を開閉する開閉ステップと、
を前記プロジェクターの制御部に実行させることを特徴とするプロジェクターの制御プログラム。
【発明の詳細な説明】
【技術分野】
【０００１】
本発明は、プロジェクター、プロジェクターの制御方法、およびプロジェクターの制御プログラムに関する。
【背景技術】
【０００２】
従来、光源から射出された光束を画像情報に応じて変調する複数の光変調装置、および各光変調装置により変調された光束を合成する色合成光学装置を有する光学装置と、合成された光を拡大投射する投射レンズとを備えるプロジェクターが知られている。
このようなプロジェクターにおいて、投射された画像のコントラスト向上等を目的として、光源から射出された光束の光量を調整する調光装置を備えたプロジェクターがある（例えば、特許文献１参照）。
【０００３】
特許文献１に記載の調光装置は、光源から射出された光束を遮る一対の遮光板と、これらの遮光板を回動させる回動装置と、を備えている。遮光板は、アルミニウムあるいはアルミニウム合金から成形されている。そして、この調光装置は、回動装置によって一対の遮光板が回転することにより光源から射出された光束の通過する量を変えて、光量を調整する。また、特許文献１のプロジェクターには、この遮光板を冷却するためのシロッコファン、および光源ランプを冷却するためのシロッコファンが設けられている。
【先行技術文献】
【特許文献】
【０００４】
【特許文献１】特開２００４−６９９６６号公報
【発明の概要】
【発明が解決しようとする課題】
【０００５】
しかしながら、特許文献１に記載のプロジェクターは、遮光板を冷却するシロッコファン、光源ランプを冷却するシロッコファンを備える構成のため、部品点数の増加やプロジェクターが大型化してしまうという課題がある。そこで、簡素な構造で、かつ構成部材の冷却効率を向上できるプロジェクターが望まれている。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光束を射出する光源と、前記光源から射出された光束の光量を調整する調光装置と、前記調光装置の光束射出側に配設されて入射する光束を光学的に変換する光学素子と、冷却空気を吐出し、前記光源、前記調光装置および／または前記光学素子を冷却する冷却ファンと、を備えたプロジェクターであって、前記調光装置は、前記光源から入射する光束を遮光する遮光部材を備え、前記遮光部材は、開閉によって、前記光量を調整するように構成され、前記遮光部材の遮光量に応じて、前記冷却ファンから前記調光装置および前記光学素子への前記冷却空気の送出する量を調整できることを特徴とする。
【０００８】
この構成によれば、遮光部材は、開閉によって、前記光量を調整するように構成され、遮光部材が光源からの光束を遮光する量に応じて、調光装置および遮光部材への冷却空気の送出量を調整する冷却空気の量を調節することができる。これによって、遮光部材の遮光する光量が大きく、遮光部材が高温になる場合に、遮光部材に多くの冷却空気を送風し、遮光部材の遮光する光量が少なく、遮光部材が高温にならない場合に、光学素子に多くの冷却空気を送風することが可能となる。よって、調光装置および光学素子を効率的に冷却することが可能となる。
【０００９】
［適用例２］上記適用例に係るプロジェクターにおいて、遮光部材による遮光量がもっとも大きいときには、前記調光装置と前記光学素子のうち前記調光装置のみを冷却し、前記遮光部材による遮光量がもっと小さいときには、前記調光装置と前記光学素子のうち前記光学素子のみを冷却することが好ましい。
【００１０】
この構成によれば、遮光部材による遮光量がもっとも大きいとき、すなわち、遮光部材が多くの光量を遮光して高温になる場合には、調光装置に多くの冷却空気を送風し、遮光部材による遮光量がもっと小さいときに、すなわち遮光部材が少ない光量を遮光して高温にならない場合には、光学素子に多くの冷却空気を送風する。よって、調光装置および光学素子を効率的に冷却することが可能となる。
【００１１】
［適用例３］上記適用例に係るプロジェクターにおいて、前記遮光部材が閉じる方向に移動したときは、前記調光装置への風量が増加し、前記光学素子への風量が減少し、前記遮光部材が開く方向に移動したときは、前記調光装置への風量が減少し、前記光学素子への風量が増加することが好ましい。
【００１２】
この構成によれば、遮光部材が閉じる方向に移動した場合、すなわち、遮光部材が多くの光量を遮光して高温になる場合には、調光装置に多くの冷却空気を送風し、光学素子への風量が減少させる。そして、遮光部材が開く方向に移動した場合、すなわち、遮光部材が少ない光量を遮光して高温にならない場合には、光学素子に多くの冷却空気を送風し、調光装置への風量を減少させる。よって、調光装置および光学素子を効率的に冷却することが可能となる。
【００１３】
［適用例４］上記適用例に係るプロジェクターにおいて、前記冷却空気を、前記光源に導く第１流路、および前記調光装置、前記光学素子に導く第２流路を有するダクトと、前記調光装置および前記光学素子を収納し、前記第２流路に導かれた前記冷却空気が流入する開口部を有する光学部品用筐体と、を備え、前記第１流路は、前記冷却空気が前記光源に送出される第１の送出口を有し、前記第２流路は、前記開口部に連通し、前記冷却空気が前記調光装置に送出される第２の送出口と前記冷却空気が前記光学素子に送出される第３の送出口とを有し、前記第２および前記第３の送出口を開閉する開閉部材を備えることが好ましい。
【００１４】
この構成によれば、冷却ファンから吐出される冷却空気をダクトによって２つの流路（第１流路、第２流路）に分割し、第１流路からの冷却空気で光源を冷却し、第２流路からの冷却空気で光学部品用筐体内に収納された調光装置、および光学素子を冷却することができる。また、送出口を開閉する開閉部材を備えているので、冷却ファンから吐出された冷却空気を調光装置と光学素子とに切り替えて送風することが可能となる。よって、１つの冷却ファンとダクトとで、省スペースを図って効率的に光源および調光装置を冷却することが可能となる。また、光源および調光装置の効率的な冷却が可能となるので、これらの部材の長寿命化、ひいてはプロジェクターの長寿命化が図れる。
【００１５】
［適用例５］上記適用例に係るプロジェクターにおいて、前記調光装置は、前記遮光部材の位置を検出する位置検出部を備え、前記位置検出部の検出結果に応じて、前記開閉部材を移動させる駆動部をさらに備えることが好ましい。
【００１６】
この構成によれば、開閉部材は、遮光部材の位置に応じて移動するので、遮光部材が遮光する光量に応じて、第２および第３の送出口を開閉することができる。これによって、遮光部材の遮光する光量が大きく、遮光部材が高温になる場合に、第２の送出口を開口して遮光部材に多くの冷却空気を送風し、遮光部材の遮光する光量が少なく、遮光部材が高温にならない場合に、第３の送出口を開口して光学素子に多くの冷却空気を送風することが可能となる。よって、調光装置および光学素子を効率的に冷却することが可能となる。
また、プロジェクターは、開閉部材を移動させる駆動部を備えているので、調光装置の冷却、光学素子の冷却の切り替えを簡単に行うことができる。
【００１７】
［適用例６］上記適用例に係るプロジェクターにおいて、前記調光装置または前記光学素子の温度を検出する温度検出部と、前記温度検出部の検出結果に応じて前記開閉部材を移動させる駆動部と、を備えることが好ましい。
【００１８】
この構成によれば、開閉部材は、調光装置または光学素子の温度に応じて移動するので、調光装置および光学素子のいずれか一方の温度が高い場合に、高い部材の方により多くの冷却空気が送出されるように開閉部材を移動させること、つまり第２および第３の送出口を開閉することが可能となる。よって、調光装置および光学素子をバランスよく冷却することが可能となる。
また、プロジェクターは、開閉部材を移動させる駆動部を備えているので、調光装置の冷却、光学素子の冷却の切り替えを簡単に行うことができる。
【００１９】
［適用例７］上記適用例に係るプロジェクターにおいて、前記光学部品用筐体は、内部の空気が外部に排出される排気口を備えることが好ましい。
【００２０】
この構成によれば、光学部品用筐体は、排気口を備えているので、調光装置および光学素子で熱せられた光学部品用筐体内部の空気を外部に排気することができ、調光装置および光学素子を効率的に冷却できる。
【００２１】
［適用例８］本適用例に係るプロジェクターの制御方法は、光源から射出された光束を遮光する遮光部材と、前記遮光部材の光束射出側に配設されて入射する光束を光学的に変換する光学素子と、冷却空気を吐出する冷却ファンと、前記冷却空気を導くダクトと、を備えたプロジェクターの制御方法であって、前記遮光部材の位置に基づいて前記遮光部材が所定の状態か否かを判定する位置判定ステップと、前記位置判定ステップで判定した結果に基づいて、前記冷却空気が前記遮光部材に送出される前記ダクトの第２の送出口、および前記冷却空気が前記光学素子に送出される前記ダクトの第３の送出口を開閉する開閉ステップと、を備えることを特徴とする。
【００２２】
この構成によれば、遮光部材が遮光する光量に応じて、開閉部材を開閉させることができるので、調光装置が遮光する光量が多い場合、つまり、遮光部材がより高温になる場合には、第２の送出口を開放して調光装置に向けて冷却空気を送出し、遮光する光量が少ない場合、第３の送出口を開放して光学素子に向けて冷却空気を送出するように調整できる。よって、調光装置および光学素子を効率的に冷却することが可能となる。
【００２３】
［適用例９］本適用例に係るプロジェクターの制御方法は、光源から射出された光束を遮光する遮光部材と、前記遮光部材の光束射出側に配設されて入射する光束を光学的に変換する光学素子と、冷却空気を吐出する冷却ファンと、前記冷却空気を導くダクトと、を備えたプロジェクターの制御方法であって、前記遮光部材または前記光学素子の温度を検出する温度検出ステップと、前記温度検出ステップで検出された検出温度があらかじめ設定された設定温度に対して高いか否かを判定する温度判定ステップと、前記温度判定ステップで判定した結果に基づいて、前記冷却空気が前記遮光部材に送出される前記ダクトの第２の送出口、および前記冷却空気が前記光学素子に送出される前記ダクトの第３の送出口を開閉する開閉ステップと、を備えることを特徴とする。
【００２４】
この構成によれば、調光装置または光学素子の温度に応じて開閉部材を開閉させることができるので、調光装置および光学素子のいずれか一方の温度が高い場合に、高い部材の方により多くの冷却空気が送出されるように開閉部材を移動させること、つまり第２および第３の送出口を開閉することが可能となる。よって調光装置および光学素子を効率的に冷却することが可能となる。
【００２５】
［適用例１０］本適用例に係るプロジェクターの制御プログラムは、光源から射出された光束を遮光する遮光部材と、前記遮光部材の光束射出側に配設されて入射する光束を光学的に変換する光学素子と、冷却空気を吐出する冷却ファンと、前記冷却空気を導くダクトと、を備えたプロジェクターの制御プログラムであって、前記遮光部材の位置に基づいて前記遮光部材が所定の状態か否かを判定する位置判定ステップと、前記位置判定ステップで判定した結果に基づいて、前記冷却空気が前記遮光部材に送出される前記ダクトの第２の送出口、および前記冷却空気が前記光学素子に送出される前記ダクトの第３の送出口を開閉する開閉ステップと、を前記プロジェクターの制御部に実行させることを特徴とする。
【００２６】
このような構成の制御プログラムは、上述した制御方法を実施するために利用されるので、上述した制御方法と同様の作用および効果を享受できる。
【００２７】
［適用例１１］本適用例に係るプロジェクターの制御プログラムは、光源から射出された光束を遮光する遮光部材と、前記遮光部材の光束射出側に配設されて入射する光束を光学的に変換する光学素子と、冷却空気を吐出する冷却ファンと、前記冷却空気を導くダクトと、を備えたプロジェクターの制御プログラムであって、前記遮光部材または前記光学素子の温度を検出する温度検出ステップと、前記温度検出ステップで検出された検出温度があらかじめ設定された設定温度に対して高いか否かを判定する温度判定ステップと、前記温度判定ステップで判定した結果に基づいて、前記冷却空気が前記遮光部材に送出される前記ダクトの第２の送出口、および前記冷却空気が前記光学素子に送出される前記ダクトの第３の送出口を開閉する開閉ステップと、を前記プロジェクターの制御部に実行させることを特徴とする。
【００２８】
このような構成の制御プログラムは、上述した制御方法を実施するために利用されるので、上述した制御方法と同様の作用および効果を享受できる。
【図面の簡単な説明】
【００２９】
【図１】第１実施形態におけるプロジェクターの内部構成を模式的に示す平面図。
【図２】第１実施形態における調光装置の構造を説明する斜視図。
【図３】第１実施形態の冷却装置、および冷却装置近傍の本体光学装置を模式的に示す断面図。
【図４】第１実施形態の開閉部材を模式的に示す斜視図。
【図５】第１実施形態における駆動部近傍の冷却装置を模式的に示す斜視図。
【図６】第１実施形態の回路装置の主な構成を示すブロック図。
【図７】第１実施形態における開閉部材の制御方法を説明するフローチャート。
【図８】第２実施形態におけるプロジェクターの制御方法を説明するフローチャート。
【発明を実施するための形態】
【００３０】
以下、本実施形態に係るプロジェクターについて、図面を参照して説明する。
本実施形態のプロジェクターは、光源から射出された光束を画像情報に応じて変調してスクリーン等の投射面に拡大投射する。
【００３１】
（第１実施形態）
図１は、第１実施形態に係るプロジェクター１０の内部構成を模式的に示す平面図である。
プロジェクター１０は、図１に示すように、光学エンジンユニットとも呼ばれる本体光学装置１１と、光源等に電力を供給する電源装置１３と、装置全体の動作を制御するための回路装置１７と、排気ファン１５と、吸気ファン１６と、冷却装置１８と、装置全体を覆う外装ケース１９とを備える。なお、回路装置１７は、上方から見て本体光学装置１１と重なる領域を有して形成されているが、図１においては、本体光学装置１１の構成部品を明瞭にするため、本体光学装置１１と重ならないように図示している。
【００３２】
本体光学装置１１は、光源を有する照明装置２０、色分離導光光学系４０、光変調部５０、クロスダイクロイックプリズム６０、投射光学系７０、および光学部品用筐体５３を備え、平面視Ｌ字状に構成される。なお、以下では、説明の便宜上、光源から光束が射出される方向を＋Ｘ方向（右方向）、投射光学系７０から投射される光の方向を＋Ｙ方向（前方向）、プロジェクター１０が机上等に設置された状態の上側を＋Ｚ方向（上方向）として記載する。
【００３３】
照明装置２０は、光源ランプユニット２１、および均一化光学系２３を備える。
光源ランプユニット２１は、光源としてのランプ部２１ａと、凹レンズ２１ｂと、光源用筐体２１ｃとを備える。このうち、ランプ部２１ａは、例えば高圧水銀ランプ等であるランプ本体２２ａと、ランプ本体２２ａから射出された光束を反射する凹面鏡２２ｂとを備える。凹レンズ２１ｂは、ランプ部２１ａからの光束をシステム光軸ＳＡすなわち照明光軸に略平行な光束にする役割を有するが、例えば凹面鏡２２ｂが放物面鏡である場合には、省略することもできる。
【００３４】
光源用筐体２１ｃは、ランプ部２１ａおよび凹レンズ２１ｂを収納する。光源用筐体２１ｃには、図１に示すように、＋Ｘ側の壁部の上側に開口部（流入口２１１）が設けられており、冷却装置１８から送風された冷却空気は、この流入口２１１から光源用筐体２１ｃ内に流入し、ランプ部２１ａを冷却する。
【００３５】
均一化光学系２３は、第１レンズアレイ２３ａと、第２レンズアレイ２３ｂと、調光装置２３ｄと、光学素子としての偏光変換素子２３ｆと、重畳レンズ２３ｈとを備える。
第１および第２レンズアレイ２３ａ，２３ｂは、それぞれマトリクス状に配置された複数の要素レンズからなる。このうち、第１レンズアレイ２３ａを構成する要素レンズによって、光源ランプユニット２１から射出された光束が複数の部分光束に分割される。また、第２レンズアレイ２３ｂを構成する要素レンズによって、第１レンズアレイ２３ａからの各部分光束は適当な発散角で射出される。
【００３６】
調光装置２３ｄは、一対の遮光部材３２ａ，３２ｂ（図２参照）を備え、この遮光部材３２ａ，３２ｂが第１レンズアレイ２３ａと第２レンズアレイ２３ｂとの間に配置される。そして、調光装置２３ｄは、回路装置１７の指示に基づいて遮光部材３２ａ，３２ｂが回転し、光源ランプユニット２１から射出された光束の通過させる量を変えることによって光量を調整する。調光装置２３ｄについては、後で詳細に説明する。
【００３７】
偏光変換素子２３ｆは、第２レンズアレイ２３ｂから射出されたランダム光を後述する液晶ライトバルブ５１ａ，５１ｂ，５１ｃで利用可能な略１種類の偏光光に揃える機能を有する。
偏光変換素子２３ｆから直線偏光光として射出され、重畳レンズ２３ｈを介した複数の部分光束は、液晶ライトバルブ５１ａ，５１ｂ，５１ｃ上で重畳する。
【００３８】
色分離導光光学系４０は、第１ダイクロイックミラー４１ａと、第２ダイクロイックミラー４１ｂと、反射ミラー４２ａ，４２ｂ，４２ｃと、３つのフィールドレンズ４３ａ，４３ｂ，４３ｃとを備え、照明装置２０から射出された光束を赤色光（ＬＲ）、緑色光（ＬＧ）、および青色光（ＬＢ）の３色の色光に分離するとともに、各色光を後段の液晶ライトバルブ５１ａ，５１ｂ，５１ｃへ導く。
【００３９】
光変調部５０は、３色の色光ＬＲ，ＬＧ，ＬＢがそれぞれ入射する３つの液晶ライトバルブ５１ａ，５１ｂ，５１ｃを備える。なお、図示を省略しているが、各液晶ライトバルブ５１ａ，５１ｂ，５１ｃは、中央に配置される液晶パネルと、これを挟むように配置される１対の入射側および射出側偏光フィルターを備えている。
【００４０】
各液晶ライトバルブ５１ａ，５１ｂ，５１ｃは、入射側偏光フィルターを経て入射した色光ＬＲ，ＬＧ，ＬＢに対してその偏光方向の空間的分布を変化させる。つまり、各液晶ライトバルブ５１ａ，５１ｂ，５１ｃにそれぞれ入射した各色光ＬＲ，ＬＧ，ＬＢは、各液晶ライトバルブ５１ａ，５１ｂ，５１ｃに電気的信号として入力された駆動信号或いは制御信号に応じて、画素単位で偏光状態が調整され、不図示の射出側偏光フィルターの通過に伴って画素単位で強度変調される。
【００４１】
クロスダイクロイックプリズム６０は、各液晶ライトバルブ５１ａ，５１ｂ，５１ｃにて変調された光を合成するための光合成光学系であり、その内部には、Ｒ光反射用の第１ダイクロイック膜（具体的には誘電体多層膜）６１と、Ｂ光反射用の第２ダイクロイック膜（具体的には誘電体多層膜）６２とが、Ｘ字状に配置されている。
クロスダイクロイックプリズム６０は、液晶ライトバルブ５１ａからの赤色光ＬＲを第１ダイクロイック膜６１で反射し、液晶ライトバルブ５１ｂからの緑色光ＬＧを両ダイクロイック膜６１，６２にて透過させ、液晶ライトバルブ５１ｃからの青色光ＬＢを第２ダイクロイック膜６２で反射して、各色光を合成する。
【００４２】
投射光学系７０は、クロスダイクロイックプリズム６０で合成された光を、スクリーン（不図示）にカラー画像として拡大投射する。
【００４３】
光学部品用筐体５３は、前述した光学部品を収納するように箱状に形成されている。
光学部品用筐体５３には、−Ｙ側の側壁に、冷却空気を導入する第１の開口部５３１１、第２の開口部５３１２が設けられ、＋Ｙ側の側壁に、熱せられた空気を排出する排気口５３２，５３３が設けられている。
第１の開口部５３１１は、調光装置２３ｄの後方（−Ｙ側）に形成され、第２の開口部５３１２は、偏光変換素子２３ｆの後方に形成されている。排気口５３２は、偏光変換素子２３ｆの前方に形成され、排気口５３３は、調光装置２３ｄの前方に形成されている。
【００４４】
電源装置１３は、光源ランプユニット２１に設けたランプ本体２２ａを所望の輝度で点灯させるとともに、回路装置１７や、排気ファン１５、吸気ファン１６、および冷却装置１８に備えられた冷却ファン２５に電力を供給する。
【００４５】
回路装置１７は、図示しない回路基板および回路基板上に搭載された主制御部９９（図６参照）等の電子部品を有して構成されている。回路装置１７は、プロジェクター１０内の装置を動作させる。回路装置１７については、後で詳細に説明する。
【００４６】
プロジェクター１０の内部は、排気ファン１５、吸気ファン１６および冷却装置１８によって冷却される。
吸気ファン１６は、図１に示すように、投射光学系７０の＋Ｘ方向に配置される。吸気ファン１６は、外装ケース１９に設けられた吸気口（図示省略）から取り込んだ外気を図示しないダクトを介して光変調部５０等の光学部品に送風し、これらの光学部品を冷却する。
【００４７】
排気ファン１５は、図１に示すように、光源ランプユニット２１の前方に配置される。排気ファン１５は、外装ケース１９に設けられた排気口（図示省略）から、外装ケース１９内の温まった空気を外部に排出する。
【００４８】
冷却装置１８は、図１に示すように、投射光学系７０とは反対側の光学部品用筐体５３の後方に配置される。冷却装置１８は、冷却ファン２５およびダクト５２を備え、照明装置２０に冷却空気を送風する。冷却装置１８については、後で詳細に説明する。
【００４９】
〔調光装置の構成〕
ここで、調光装置２３ｄについて詳細に説明する。
図２は、調光装置２３ｄの構造を説明する斜視図である。調光装置２３ｄは、図２に示すように、前述した遮光部材３２ａ，３２ｂに加え、固定部材８１と、駆動機構３３と、図示しない位置検出部としての位置検出センサーとを備える。
【００５０】
固定部材８１は、駆動機構３３を支持する。
駆動機構３３は、モーター８３ａと、伝達部８３ｂと、一対の駆動ギア８４ａ，８４ｂとを備え、モーター８３ａの回転が伝達部８３ｂを介して一対の駆動ギア８４ａ，８４ｂに伝達されるように構成されている。モーター８３ａは、図示しないケーブルを介して回路装置１７に接続されている。
【００５１】
遮光部材３２ａ，３２ｂは、駆動ギア８４ａ，８４ｂに取り付けられている。
遮光部材３２ａ，３２ｂは、システム光軸ＳＡに垂直な方向に延びており、システム光軸ＳＡを挟んで互いに対向するとともにシステム光軸ＳＡに対して対称に配置される。また、遮光部材３２ａ，３２ｂは、駆動ギア８４ａ，８４ｂの中心軸である回動軸ＡＸ１，ＡＸ２のまわりにそれぞれ回動可能になっている。
【００５２】
調光装置２３ｄは、回路装置１７の指示に基づいてモーター８３ａが駆動されて遮光部材３２ａ，３２ｂが回転する。そして、調光装置２３ｄは、遮光部材３２ａ，３２ｂが最も近接して多くの光量を遮光する全閉状態（不図示）から遮光部材３２ａ，３２ｂが最も離間して多くの光量を通過させる全開状態（図２参照）の間で光量を調整する。
位置検出センサーは、フォトセンサー等で構成され、一対の遮光部材３２ａ，３２ｂの位置（回転位置）を検出するものであり、検出した信号を回路装置１７に出力する。
【００５３】
〔冷却装置の構成〕
次に、冷却装置１８について詳細に説明する。
図３は、冷却装置１８、および冷却装置１８近傍の本体光学装置１１を模式的に示す断面図である。
冷却装置１８は、図３に示すように、冷却ファン２５およびダクト５２に加え、開閉部材５２２、および駆動部５２３（図５参照）を備えている。
冷却ファン２５は、外部の空気を吸入する吸入口２５１と、吸入した空気を吐出する吐出口２５２とを有するシロッコファンで構成されている。そして、冷却ファン２５は、図１に示すように、第２ダイクロイックミラー４１ｂ近傍の光学部品用筐体５３の後方（−Ｙ方向）に、吸入口２５１が上側、吐出口２５２が−Ｘ側となるように配置される。そして冷却ファン２５は、吸入口２５１から吸入した外装ケース１９内部の空気を吐出口２５２から吐出する。
【００５４】
〔ダクトの構成〕
ダクト５２は、図３に示すように、光学部品用筐体５３の後側の側壁に沿って形成されており、冷却ファン２５の吐出口２５２から光源ランプユニット２１まで延出している。
ダクト５２は、図３に示すように、冷却ファン２５から吐出される冷却空気が流入する空気流入口５２Ａ、および流入した冷却空気が送出される第１の送出口５２１１、第２の送出口５２１２、および第３の送出口５２１３を有している。
【００５５】
第１の送出口５２１１は、図３に示すように、ダクト５２の先端部分に形成され、光源用筐体２１ｃの流入口２１１に連通して形成されている。
第２の送出口５２１２は、図３に示すように、光学部品用筐体５３の第１の開口部５３１１に相対する位置に設けられ、冷却ファン２５から送出された冷却空気が光学部品用筐体５３内に流入可能に形成されている。
【００５６】
第３の送出口５２１３は、第２の開口部５３１２に相対する位置に設けられ、冷却ファン２５から送出された冷却空気が光学部品用筐体５３内に流入可能に形成されている。そして、第２の送出口５２１２および第３の送出口５２１３は、後述する開閉部材５２２のスライド移動によって、開閉される。
【００５７】
ダクト５２の内部には、図３に示すように、冷却ファン２５から吐出される冷却空気を分岐させる第１仕切り壁５２４が形成されている。第１仕切り壁５２４は、冷却ファン２５の近傍から−Ｘ方向に延出した後、＋Ｙ方向に屈曲して第２の送出口５２１２の−Ｘ側でダクト５２の側壁に接続して形成されている。
【００５８】
そして、この第１仕切り壁５２４により冷却ファン２５から吐出される冷却空気は、光源ランプユニット２１に向かう空気（第１流路Ｒ１）と、調光装置２３ｄおよび偏光変換素子２３ｆに向かう空気（第２流路Ｒ２）とに分離される。つまり、第１の送出口５２１１は、第１流路Ｒ１に形成され、第２の送出口５２１２および第３の送出口５２１３は、第２流路Ｒ２に形成されることとなる。
また、ダクト５２の上面には、スリット状の開口部が設けられ（図示せず）、開閉部材５２２の後述する延出部５２２４（図４参照）が、その開口部から突出する。
【００５９】
〔開閉部材の構成〕
図４は、開閉部材５２２を模式的に示す斜視図である。
開閉部材５２２は、図４に示すように、側面部５２２２および天面部５２２３を有して断面視略Ｌ字状に形成されている。側面部５２２２には、開口部５２２１が設けられ、天面部５２２３には、天面部５２２３に対して略直角に突出する延出部５２２４が設けられている。開口部５２２１は、ダクト５２に形成された第３の送出口５２１３より僅かに大きな形状を有している。また延出部５２２４には、開口穴５２２５が形成されている。
【００６０】
開閉部材５２２は、側面部５２２２が上下方向に沿い、延出部５２２４がダクト５２の上面に形成されたスリットから突出するようにダクト５２の内部に配置される。そして、開閉部材５２２は、駆動部５２３によって、Ｘ方向に移動して第２の送出口５２１２および第３の送出口５２１３を開閉する。具体的に、開閉部材５２２は、側面部５２２２が第２の送出口５２１２を閉塞し、開口部５２２１が第３の送出口５２１３と連通する第１状態、および第２の送出口５２１２を開放し、第３の送出口５２１３を閉塞する第２状態とが切り替えられる。
【００６１】
〔駆動部の構成〕
図５は、駆動部５２３近傍の冷却装置１８を模式的に示す斜視図であり、（ａ）は、第１状態を示す図、（ｂ）は、第２状態を示す図である。
駆動部５２３は、四角柱状の筐体を有し、この筐体内に図示しないスピンドルモーターや、駆動軸等を備えている。駆動部５２３は、図５に示すように、ダクト５２の上側に配設され、図示しないケーブルを介して回路装置１７に接続されている。具体的に、駆動部５２３は、ダクト５２の上面から突出する延出部５２２４の開口穴５２２５に駆動軸が連結される構造となっている。そして、駆動部５２３は、回路装置１７の指示に基づいて、開閉部材５２２をＸ方向に移動させ、第２の送出口５２１２および第３の送出口５２１３を開閉する。
【００６２】
〔プロジェクターの制御方法〕
ここで、プロジェクターの制御方法について説明する。
先ず、回路装置１７について詳細に説明する。図６は、回路装置１７の主な構成を示すブロック図である。
回路装置１７は、図６に示すように、主制御部９９と、ビデオ信号等の外部画像信号が入力される画像処理部９１と、パネル駆動部９２と、調光装置駆動部９３と、ファン駆動部９５と、遮光状態判定部６１２とを備える。
【００６３】
主制御部９９は、ＣＰＵ（Central Processing Unit）、各種データの一時記憶等に用いられるＲＡＭ（Random Access Memory）、およびマスクＲＯＭ（Read Only Memory）やフラッシュメモリー、ＦｅＲＡＭ（Ferroelectric RAM：強誘電体メモリー）等の不揮発性のメモリー等（いずれも図示せず）を備え、コンピューターとして機能する。主制御部９９は、ＣＰＵが不揮発性のメモリーに記憶されている制御プログラムに従って動作することにより、プロジェクター１０の動作を統括制御する。
【００６４】
画像処理部９１は、ビデオ再生装置やパーソナルコンピューター等、外部の画像出力装置から出力される画像情報を、液晶ライトバルブ５１ａ，５１ｂ，５１ｃの各画素の階調を表す画像情報に変換する。また、画像処理部９１は、主制御部９９の指示に基づき、変換した画像情報に対して、明るさ、コントラスト、シャープネス、色合い等を調整するための画質調整処理等を行う。
【００６５】
パネル駆動部９２は、画像処理部９１から出力された画像処理後の画像信号に基づいて各液晶ライトバルブ５１ａ，５１ｂ，５１ｃの状態を調節する駆動信号を発生する。これにより、画像処理部９１から入力された画像信号に対応して、液晶ライトバルブ５１ａ，５１ｂ，５１ｃにおいて、透過率分布としての画像を形成することができる。
【００６６】
調光装置駆動部９３は、主制御部９９の指示に基づいて、調光装置２３ｄのモーター８３ａを駆動する出力信号を出力する、調光装置駆動部９３は、光変調部５０に形成させる画像の輝度に応じて出力信号を出力する。例えば、光変調部５０に形成させる画像が全体的に暗い場合には、一対の遮光部材３２ａ，３２ｂが互いに近接する方向に移動する信号を出力して、光量を低減させる。一方、光変調部５０に形成させる画像が全体的に明るい場合には、一対の遮光部材３２ａ，３２ｂが互いに離間する方向に移動する信号を出力して、光量を増加させる。このような制御により、高コントラストの投射画像を実現している。
【００６７】
ファン駆動部９５は、排気ファン１５、吸気ファン１６、および冷却ファン２５をフィードバック制御等を利用して適宜動作させるためのものであり、ランプ部２１ａ等に設けた温度センサー（図示省略）の検出結果に基づいて、排気ファン１５、吸気ファン１６、冷却ファン２５を動作させる
【００６８】
遮光状態判定部６１２は、調光装置２３ｄに備えられた位置検出センサーから入力される検出信号に基づいて、一対の遮光部材３２ａ，３２ｂの位置を判定する。本実施形態では、遮光状態判定部６１２は、一対の遮光部材３２ａ，３２ｂが全閉状態か否かを判定し、全閉状態の場合に判定信号を主制御部９９に出力する。
主制御部９９は、遮光状態判定部６１２の判定信号に基づいて、駆動部５２３を駆動させ、開閉部材５２２を移動させる。
【００６９】
〔開閉部材の制御方法〕
ここで、開閉部材５２２の制御方法について、図７のフローチャート、および図５を用いて説明する。
先ず、調光装置駆動部９３は、光変調部５０に形成させる輝度に応じて、遮光部材３２ａ，３２ｂを回転させ、遮光部材３２ａ，３２ｂは、遮光する光量を調整する（調整ステップＳ１）。
【００７０】
次に、遮光状態判定部６１２は、調光装置２３ｄの位置検出センサーから入力される検出信号に基づいて、一対の遮光部材３２ａ，３２ｂが全閉状態であるか否かを判定する（位置判定ステップＳ２）。
【００７１】
そして、一対の遮光部材３２ａ，３２ｂが全閉状態でない場合には、主制御部９９は、第３の送出口５２１３が開放される第１状態となるように、駆動部５２３を介して、開閉部材５２２を移動させる（開閉ステップＳ３）。
この第１状態において（図５（ａ）参照）、冷却ファン２５から送出された冷却空気は、第３の送出口５２１３から送出される。そして、第３の送出口５２１３から送出された冷却空気は、光学部品用筐体５３の第２の開口部５３１２（図３参照）から流入して偏光変換素子２３ｆを冷却する。そして、偏光変換素子２３ｆを冷却した空気は、排気口５３２から光学部品用筐体５３外部に排出される。
そして、調整ステップＳ１に戻り、調光装置駆動部９３により、遮光部材３２ａ，３２ｂの開閉状態を制御して、遮光する光量を調整することを繰り返す。
【００７２】
一方、一対の遮光部材３２ａ，３２ｂが全閉状態である場合には、主制御部９９は、第２の送出口５２１２が開放される第２状態となるように、駆動部５２３を介して、開閉部材５２２を移動させる（ステップＳ４）。
この第２状態において（図５（ｂ）参照）、冷却ファン２５から送出された冷却空気は、第２の送出口５２１２から送出される。そして、第２の送出口５２１２から送出された冷却空気は、光学部品用筐体５３の第１の開口部５３１１から流入して、調光装置２３ｄを冷却する。そして、調光装置２３ｄを冷却した空気は、排気口５３３から光学部品用筐体５３外部に排出される。
そして、調整ステップＳ１に戻り、調光装置駆動部９３により、遮光部材３２ａ，３２ｂの開閉状態を制御して、遮光する光量を調整することを繰り返す。
【００７３】
このように、開閉部材５２２は、遮光部材３２ａ，３２ｂが全閉状態以外の場合に、冷却ファン２５から送出された冷却空気が偏光変換素子２３ｆに向けて送風されるように移動し、遮光部材３２ａ，３２ｂが全閉状態の場合に、冷却ファン２５から送出された冷却空気が調光装置２３ｄに向けて送風されるように移動する。
【００７４】
上述した本実施形態のプロジェクター１０によれば、以下の効果がある。
冷却ファン２５から吐出される冷却空気は、ダクト５２によって、光源ランプユニット２１と、調光装置２３ｄまたは偏光変換素子２３ｆとに導かれる。これによって、１つの冷却ファン２５とダクト５２とで省スペース化および構造の簡素化を図って効率的に光源ランプユニット２１、調光装置２３ｄおよび偏光変換素子２３ｆを冷却することが可能となる。また、光源ランプユニット２１、調光装置２３ｄおよび偏光変換素子２３ｆの効率的な冷却が可能となるので、これらの部材の長寿命化、ひいてはプロジェクター１０の長寿命化が図れる。
【００７５】
第２および第３の送出口５２１２，５２１３を開閉する開閉部材５２２を備えているので、冷却ファン２５から吐出された冷却空気を調光装置２３ｄと偏光変換素子２３ｆとに切り替えて送風することが可能となる。
【００７６】
開閉部材５２２は、遮光部材３２ａ，３２ｂの位置に応じて第２および第３の送出口５２１２，５２１３を開閉するので、調光装置２３ｄおよび偏光変換素子２３ｆを効率的に冷却することが可能となる。
また、プロジェクターは、開閉部材を移動させる駆動部を備えているので、調光装置の冷却、光学素子の冷却の切り替えを簡単に行うことができる。
【００７７】
光学部品用筐体５３は、排気口５３２，５３３を備えているので、調光装置２３ｄおよび偏光変換素子２３ｆを冷却して温まった光学部品用筐体５３内部の空気を外部に排気することができ、調光装置２３ｄおよび偏光変換素子２３ｆを効率的に冷却できる。
【００７８】
（第２実施形態）
次に第２の実施形態について説明する。
図示は省略するが、本実施形態のプロジェクター１０は、遮光部材３２ａ，３２ｂまたは偏光変換素子２３ｆの温度を検出する温度検出部（図示省略）を備えている。そして本実施形態のプロジェクター１０は、この温度検出部の検出温度に基づいて、開閉部材５２２を移動して、第２の送出口５２１２、第３の送出口５２１３を開閉するように構成されている。
【００７９】
先ず、遮光部材３２ａ，３２ｂの温度を検出する温度検出部を備えたプロジェクター１０について説明する。
システム光軸ＳＡに対して対称に配置された一対の遮光部材３２ａ，３２ｂは、温度が同等になるとみなし、本実施形態では、遮光部材３２ａの温度を検出し、この検出温度に基づいて、第２の送出口５２１２、第３の送出口５２１３が開閉されるように構成されている。
【００８０】
温度検出部は、遮光部材３２ａに取り付けられ、図示しないケーブルを介して回路装置１７に接続されている。そして、このケーブルは、一部が固定部材８１（図２参照）に固定され、回転する遮光部材３２ａ，３２ｂや駆動機構３３に絡まることなく、また遮光部材３２ａ，３２ｂに負荷を与えることなく配線されている。なお、温度検出部を遮光部材３２ｂに取り付けるように構成してもよい。
【００８１】
このプロジェクター１０の制御方法を、図８に示すフローチャートを用いて説明する。
まず、温度検出部により、遮光部材３２ａの温度を検出する（温度検出ステップＳ１１）。
次に、温度検出ステップＳ１１にて検出された検出温度があらかじめ設定された遮光部材３２ａの設定温度に対して、高いか否かを判定する（温度判定ステップＳ１２）。ところで、駆動機構３３や光学部品用筐体５３には、光束を遮光することに伴って発熱する遮光部材３２ａ，３２ｂの熱が伝わる。ここで、設定温度とは、駆動機構３３や光学部品用筐体５３が熱変形しない程度に遮光部材３２ａが発熱する温度である。
【００８２】
そして、検出温度が設定温度以上の場合、第２の送出口５２１２が開放される第２状態となるように、駆動部５２３を介して、開閉部材５２２を移動させる（ステップＳ１３）。その結果、遮光部材３２ａ，３２ｂには、より多くの冷却空気が送風され、調光装置２３ｄは、効率よく冷却される。
一方、検出温度が設定温度に達しない場合、第３の送出口５２１３が開放される第１状態となるように、駆動部５２３を介して、開閉部材５２２を移動させる（ステップＳ１４）。その結果、偏光変換素子２３ｆには、より多くの冷却空気が送風され、偏光変換素子２３ｆは、効率よく冷却される。
【００８３】
次に、図示は省略するが、偏光変換素子２３ｆの温度を検出する温度検出部を備えたプロジェクター１０について説明する。
温度検出部は、偏光変換素子２３ｆ近傍の光学部品用筐体５３に配置され、ケーブルを介して回路装置１７に接続されている。
プロジェクター１０は、この温度検出部の検出温度に基づいて、第２および第３の送出口５２１２，５２１３を開閉する。具体的に、検出温度が設定温度以上の場合は、第２の送出口５２１２を閉塞し、第３の送出口５２１３を開放する。ここで、設定温度とは、光学性能の劣化が生じない程度に偏光変換素子２３ｆが発熱する温度である。その結果、偏光変換素子２３ｆには、より多くの冷却空気が送風され、偏光変換素子２３ｆは、効率よく冷却される。
一方、検出温度が設定温度に達しない場合、第２の送出口５２１２を開放し、第３の送出口５２１３を閉塞する。その結果、調光装置２３ｄには、より多くの冷却空気が送風され、調光装置２３ｄは、効率よく冷却される。
【００８４】
上述した本実施形態のプロジェクター１０によれば、以下の効果がある。
開閉部材５２２は、調光装置２３ｄまたは偏光変換素子２３ｆの検出温度に基づいて第２および第３の送出口５２１２，５２１３を開閉するので、調光装置２３ｄまたは偏光変換素子２３ｆが所定の温度を超えないように冷却することが可能となる。
【００８５】
（実施形態の変形）
なお、本発明は前述の実施形態に限定されるものではなく、本発明の目的を達成できる範囲での変形、改良等は本発明に含まれるものである。
上記第１の実施形態において、開閉部材５２２に開口部５２２１が１つ設けられ、第２の送出口５２１２および第３の送出口５２１３のどちらか一方と開閉部材５２２の開口部５２２１が連通したときには、他方は閉塞される構成を例示したが、開閉部材５２２に第２の送出口５２１２と第３の送出口５２１３に対応した開口部を設けて、遮光部材３２ａ，３２ｂによる遮光量が最も大きい時には第２の送出口５２１２が第２の送出口５２１２に対応した開口部と完全に一致し、第３の送出口５２１３が開閉部材５２２により完全に閉塞された状態とし、遮光部材３２ａ，３２ｂによる遮光量が最も小さい時には第２の送出口５２１２が開閉部材５２２により完全に閉塞され、第３の送出口５２１３が第３の送出口５２１３に対応した開口部と完全に一致した状態となるように構成してもよい。この場合には、第２の送出口５２１２と第３の送出口５２１３の両方から冷却風が送出される状態とすることが可能となり、遮光部材３２ａ，３２ｂが閉じる方向に移動した時には、第２の送出口５２１２から送出される冷却風の風量を増加させるとともに、光学素子への風量を減少させ、遮光部材３２ａ，３２ｂが開く方向に移動した時には、調光装置２３ｄへの風量を減少させるとともに、光学素子への風量を増加させることが可能となる。
【００８６】
第１実施形態では、一対の遮光部材３２ａ，３２ｂが全閉状態か否かを判定して第１状態と第２状態とが切り替えられるように構成されているが、これ以外の状態を検出することによって、第１状態と第２状態とが切り替えられるように構成してもよい。例えば、全閉状態と全開状態との間の遮光部材３２ａ，３２ｂが所定の位置となる中間状態を検出し、全閉状態から中間状態の間では、第２の送出口５２１２を開放し、中間状態から全開状態の間では、第３の送出口５２１３を開放するように構成してもよい。
【００８７】
上記実施形態では、開閉部材５２２が第１状態あるいは第２状態となるように構成されているが、第１状態および第２状態に加え、遮光部材３２ａ，３２ｂの位置や温度に応じて、第２および第３の送出口５２１２，５２１３の開放される大きさが変更されるように構成してもよい。つまり、第２および第３の送出口５２１２，５２１３の双方から冷却空気が送出される状態を有するように構成してもよい。
また、第２流路Ｒ２内に流れる冷却空気が第２の送出口に流れる冷却空気と、第３の送出口に流れる冷却空気とに分離するような仕切り壁を設けてもよい。
【００８８】
また、上記実施形態では、光学素子として偏光変換素子２３ｆを冷却するように構成されているが、これに限定されず、調光装置２３ｄの光束射出側に配設される他の光学素子を冷却するように構成してもよい。
【００８９】
上記実施形態の調光装置２３ｄは、遮光部材３２ａ，３２ｂが回転することによって、互いが近接離間して光量を調整するように構成されているが、この構造に限らず、例えばストライプ状の開口を有する一対の遮光部材がスライド移動することにより光量を調整するように構成することもできる。
【００９０】
また、上記実施形態の開閉部材５２２は、ダクト５２の内側で移動するように構成されているが、ダクト５２の外側で移動するように構成してもよい。
また、外装ケース１９の一部をダクト５２の一部として構成してもよい。
【００９１】
また、上記実施形態では、開閉部材５２２を移動させることによって、第２および第３の送出口５２１２，５２１３を開閉するように構成されているが、形状記憶合金で形成された開閉部材を用いて開閉するように構成してもよい。例えば、調光装置２３ｄの近傍に形成された第２の送出口５２１２に形状記憶合金で形成された開閉部材を配置し、この開閉部材の温度が高くない場合、第２の送出口５２１２を閉塞し、発熱した遮光部材３２ａ，３２ｂの熱が伝達されて開閉部材が高温になった場合、第２の送出口５２１２を開放するように形状を変えるように構成してもよい。
【００９２】
上記実施形態のプロジェクター１０は、開閉部材５２２、および駆動部５２３を備えて構成されているが、備えない構成としてもよい。
【００９３】
また、上記実施形態では、光源ランプユニット２１に用いるランプ本体２２ａとして高圧水銀ランプを用いたが、メタルハライドランプ等を用いてもよい。
【００９４】
また、上記実施形態では、光源ランプユニット２１からの光を複数の部分光束に分割するため、第１および第２レンズアレイ２３ａ，２３ｂを用いていたが、この発明は、このようなレンズアレイを用いないプロジェクターにも適用可能である。さらに、第１および第２レンズアレイ２３ａ，２３ｂをロッドインテグレーターに置き換えることもできる。
【００９５】
また、上記実施形態では、透過型の液晶ライトバルブ５１ａ，５１ｂ，５１ｃに本発明を適用した場合の例について説明したが、反射型の液晶ライトバルブにも適用することが可能である。ここで、「透過型」とは、液晶ライトバルブが光を透過するタイプであることを意味しており、「反射型」とは、液晶ライトバルブが光を反射するタイプであることを意味している。
【００９６】
また、プロジェクターとしては、投射面を観察する方向から画像投射を行う前面投射型のプロジェクターと、投射面を観察する方向とは反対側から画像投射を行う背面投射型のプロジェクターとがあるが、図１等に示すプロジェクターの構成は、いずれにも適用可能である。
【００９７】
また、上記実施形態では、色分離導光光学系４０や液晶ライトバルブ５１ａ，５１ｂ，５１ｃ等を用いて各色の光変調を行っているが、これらに代えて、例えば照明装置２０によって照明されるカラーホイールと、マイクロミラーの画素によって構成されカラーホイールの透過光が照射されるデバイス（光変調部）とを組み合わせたものとを用いることによって、カラーの光変調および合成を行うこともできる。
【符号の説明】
【００９８】
１０…プロジェクター、１８…冷却装置、２１…光源ランプユニット、２３ｄ…調光装置、２３ｆ…偏光変換素子（光学素子）、２３ｈ…重畳レンズ、２５…冷却ファン、３２ａ，３２ｂ…遮光部材、３３…駆動機構、５２…ダクト、５３…光学部品用筐体、５２４…第１仕切り壁、５２１１…第１の送出口、５２１２…第２の送出口、５２１３…第３の送出口、５３１１…第１の開口部、５３１２…第２の開口部、５３２，５３３…排気口、５２２…開閉部材、５２３…駆動部、Ｒ１…第１流路、Ｒ２…第２流路。
【図１】
2013137349.tif 000003
【図２】
2013137349.tif 000004
【図３】
2013137349.tif 000005
【図４】
2013137349.tif 000006
【図５】
2013137349.tif 000007
【図６】
2013137349.tif 000008
【図７】
2013137349.tif 000009
【図８】
2013137349.tif 000010